(57)【要約】【課題】脚部を補強しつつ、安定的に積み重ねることができる包装用容器を提供する。【解決手段】包装用容器１は、合成樹脂シートからなり、容器本体２及び蓋体３を備え、容器本体２は、容器本体２の底面部２１から下方に膨出する脚部２２を備え、脚部２２は、第一面部２３と第二面部２４とを少なくとも備えた段状構造としてあり、第一面部２３は、容器内側に位置し、蓋体３の天面部３１に載せ置き可能としてあり、第二面部２４は、容器外側に位置し、第一面部２３よりも下方に延び、容器本体２を蓋体３の上側に載せ置いた際、蓋体３の側壁面部３２に沿う形状としてあることを特徴とする。【選択図】図２
2020109025.tif 000002
【特許請求の範囲】
【請求項１】
合成樹脂シートからなり、容器本体及び蓋体を備えた包装用容器であって、
該容器本体は、該容器本体の底面部から下方に膨出する脚部を備え、
該脚部は、第一面部と第二面部とを少なくとも備えた段状構造としてあり、
該第一面部は、容器内側に位置し、該蓋体の天面部に載せ置き可能としてあり、
該第二面部は、容器外側に位置し、該第一面部よりも下方に延び、該容器本体を該蓋体の上側に載せ置いた際、該蓋体の側壁面部に沿う形状としてある、
包装用容器。
【請求項２】
前記容器本体の底面部と前記脚部の第一面部との間の内側側面部に、縦方向に延びて容器内側に膨出する突起部を備えた請求項１に記載の包装用容器。
【請求項３】
前記第一面部の最小幅に対する前記突起部の最大突出幅（突起部の突出幅／第一面部の最小幅）を０．１〜２．０とした請求項２に記載の包装用容器。
【請求項４】
前記突起部は、断面において三角形状乃至湾曲状である請求項２又は３に記載の包装用容器。
【発明の詳細な説明】
【技術分野】
【０００１】
本発明は、主に食品などを収容でき、合成樹脂シートからなる包装用容器に関する。
【背景技術】
【０００２】
弁当、サラダ、惣菜、フルーツなどの食料品は、薄肉の合成樹脂シートから成形された包装用容器に封入されて小売店などの店頭で陳列されていることがよく見かけられる。
このような包装用容器は、封入した食料品などを見えやすくするため、脚部を設けて底面部が高い位置になるようにさせたものがある。しかし、容器を成形する際に脚部部分のシートが伸ばされて脚部の厚みが他の部分よりも薄くなり強度が弱まるおそれがある。
そこで、例えば、シート厚を厚くすることや下記特許文献１に示すように足部の外周に糸尻状凸部を設けることなどが行われている。
【０００３】
また、このような包装用容器は、複数段に積み重ねられて店頭に陳列されることが多い。しかし、包装用容器に脚部を設けた場合は、食料品などを収容した際に食料品などの重さにより底面部の中央付近が凹むように撓み、他の包装用容器の上側に載せ置いた際に底面部が他の包装用容器の蓋体天面部に点状に接触した状態になり、不安定になることがあった。
【０００４】
そこで、例えば、下記特許文献２に示すように、それぞれ熱可塑性合成樹脂シートから成形した多角形の容器本体と、この容器本体の周縁部に着脱可能に取り付けた透明の蓋体とを備え、上記容器本体の少なくとも各隅部には、それぞれ屈曲した水平断面形状の脚部が垂設され、上記蓋体は略平らな多角形の天板部と、この天板部の周端部に連なる側壁部とを有し、上記天板部と側壁部とが交わるコーナー部、及び上記側壁部が互いに隣接するコーナー部は、それぞれ円弧で連設してあり、上記容器本体のそれぞれの脚部の内側面は、上記蓋体の上にこの容器本体を積み重ねたときに、上記側壁部が嵌合する形状に形成してあることを特徴とし、内部の食品が見え易く、積み重ねて陳列した場合にずれ難くかつ変形し難いものにする食品包装容器が開発されている。
【先行技術文献】
【特許文献】
【０００５】
【特許文献１】特開２００８−２９０７２８号公報
【特許文献２】特開２００４−１５５４６６号公報
【発明の概要】
【発明が解決しようとする課題】
【０００６】
最近では、資源節約の観点からシート厚を薄くすることが望まれており、脚部の強度を向上させるためにシート厚を厚くすることは時流に反し、シート厚を厚くせずに脚部の強度を向上させる開発が業界にて進められている。
また、包装用容器を安定して積み重ねができることは、陳列するときのみならず、運搬する際にも崩れるおそれが少なく、使い勝手がよいものである。
【０００７】
そこで、本発明の目的は、脚部を補強しつつ、安定的に積み重ねることができる包装用容器を提供することにある。
【課題を解決するための手段】
【０００８】
本発明の一実施形態の包装用容器は、合成樹脂シートからなり、容器本体及び蓋体を備えた包装用容器であって、該容器本体は、該容器本体の底面部から下方に膨出する脚部を備え、該脚部は、第一面部と第二面部とを少なくとも備えた段状構造としてあり、該第一面部は、容器内側に位置し、該蓋体の天面部に載せ置き可能としてあり、該第二面部は、容器外側に位置し、該第一面部よりも下方に延び、該容器本体を該蓋体の上側に載せ置いた際、該蓋体の側壁面部に沿う形状としてあることを特徴とする。
【０００９】
このような構成にすることにより、脚部は段状構造としてあるため補強され、熱成形により作製しても剛性が高いものとなる。また、第一面部が蓋体の天面部に載り、第二面部が蓋体の側壁面部に沿う形状としてあるため、蓋体上に安定して載せることができ、積み重ねても崩れにくいものになる。
【００１０】
上記形態の包装用容器は、容器本体の底面部と脚部の第一面部との間の内側側面部に、縦方向に延びて容器内側に膨出する突起部を備えることができる。この突起部は、第一面部の最小幅に対する突起部の最大突出幅（突起部の突出幅／第一面部の最小幅）を０．１〜２．０とすることが好ましく、断面において三角形状乃至湾曲状であることが好ましい。
このような構成にすることにより、脚部の強度が高まり、段積みしても容器を安定して支えることができる。
【００１１】
上記形態の包装用容器は、蓋体を透明乃至半透明にし、脚部を適宜間隔を開けて周方向に設けることができる。
【００１２】
このような構成にすることにより、包装用容器を積み重ねた際、脚部の間隙から下方に配した包装用容器の内部を視認することができ、積み重ねた状態でも収容物を確認しやすくなる。
【図面の簡単な説明】
【００１３】
【図１】本発明の包装用容器の一実施形態を示した斜視図である。
【図２】図１に示した包装用容器の容器本体の脚部付近の拡大斜視図である。
【図３】図１に示した包装用容器の容器本体の脚部部分を水平方向に切断した拡大断面図である。
【図４】図１に示した包装用容器を積み重ねた状態を示した側面図である。
【図５】図１に示した包装用容器を積み重ねた状態において、脚部部分を水平方向に切断した断面図である。
【発明を実施するための形態】
【００１４】
以下、本発明の包装用容器の一実施形態を図面に基づいて説明する。
【００１５】
本発明の一実施形態の包装用容器１は、図１に示すように、容器本体２と蓋体３とを備え、蓋体３は、容器本体２に上方から嵌合して被覆できるようにしてある。
【００１６】
包装用容器１は、特に限定するものではないが、寿司、惣菜、サラダ、フルーツ等の食料品を包装するのに適する。
包装用容器１は、本実施形態では、平面視横長長方形状としてあるが、これに限定されるものではなく、例えば、平面視正方形乃至長方形状、平面視円形乃至長円形状、平面視六角形状又は八角形状などの平面視多角形状などにすることもできる。
包装用容器１を平面視長方形状とした場合、例えば、幅、長さ、高さの比率を幅１に対して長さ１．３〜３．５、高さ０．３〜１．５にするのが好ましい。
【００１７】
容器本体２又は蓋体３は、例えば、シート厚０．１ｍｍ〜３ｍｍ、好ましくは０．２ｍｍ〜２ｍｍの合成樹脂シートを熱成形して製造することができる。
【００１８】
合成樹脂シートとしては、特に限定するものではないが、発泡樹脂シート、非発泡樹脂シートのいずれでもよく、例えば、ポリエチレン系樹脂シートやポリプロピレン系樹脂シートなどのポリオレフィン系樹脂シート、ポリスチレン系樹脂シート、ポリエチレンテレフタレート系樹脂シートや耐熱性を付与した変性ポリエチレンテレフタレート系樹脂シートなどのポリエステル系樹脂シートなどの熱可塑性樹脂シートを挙げることができる。なかでも、電子レンジの加熱に耐え得るもの、例えば、耐熱性ポリスチレン系樹脂シート、ポリプロピレン系樹脂シート、耐熱性を付与した変性ポリエチレンテレフタレート系樹脂シートが好ましい。
また、合成樹脂シートとして積層シートを用いることもでき、積層シートとしては、例えば、合成樹脂シートにフィルムを熱ラミネートした積層シート、共押出法による積層シート、押出ラミネート法による積層シートなどを挙げることができる。
【００１９】
熱成形としては、例えば、真空成形、圧空成形、真空圧空成形、熱板成形などを挙げることができる。
【００２０】
容器本体２又は蓋体３は、透明、半透明、黒色や白色などの有色のいずれでもよいが、内部が視認できるように、透明乃至半透明にすることが好ましい。容器本体２は有色、蓋体３は透明など相違していてもよい。
【００２１】
容器本体２は、平面視横長長方形状の底面部２１と、底面部２１の四隅付近から下方に膨出する脚部２２と、を備える。
【００２２】
底面部２１は、図１に示すように、平面視横長長方形状の水平面として形成してあり、食料品などの収容物を載せることができるようにしてある。
本実施形態では、底面部２１を水平面としてあるが、これに限定されるものではなく、例えば、傾斜面状、山形状などにしてもよい。
【００２３】
脚部２２は、図２又は図３に示すように、底面部２１の四隅付近に設けてあり、直線の両端を同じ方向に鈍角状に折り曲げた平面視変形への字状に形成してあり、下方に膨出させて設けてある。脚部２２は、段状構造としてあり、本実施形態では、第一面部２３と第二面部２４とを備えた二段構造としてある。
第一面部２３は、水平面状に形成してあり、第二面部２４よりも容器内側に位置し、他の包装用容器１に積み重ねた際、蓋体３の天面部３１に載せ置き可能としてある。第一面部２３及び第二面部２４は、平面視において、屈曲部又は湾曲部を有する形状とするのが好ましく、これにより脚部２２の強度が高まる。
第一面部２３の底面部２１からの深さは、容器本体２の大きさにもよるが２ｍｍ〜１５ｍｍ、特に３ｍｍ〜１０ｍｍが好ましい。また、第二面部２４の底面部２１からの深さは、第一面部２３の底面部２１からの深さ１に対して、１．５〜３にするのが好ましい。
【００２４】
第二面部２４は、水平面状に形成してあり、第一面部２３の容器外側に位置し、第一面部２３よりも下方に延び、棚などに包装用容器１を置いた際、接地する接地面としてある。また、第二面部２４は、他の包装用容器１に積み重ねて容器本体２を蓋体３の上側に載せた際、蓋体３の側壁面部３２に沿う形状としてある。
【００２５】
脚部２２の側面部２５は、垂直面乃至傾斜面としてある。容器本体２の底面部２１と第一面部２３との間の内側側面部２５ａは、図２又は図３に示すように、幅方向の中間付近に縦方向に延びて容器内側に膨出する突起部２６を備える。突起部２６を設けることにより、脚部２２の強度が高まり、脚部２２が折れることを防ぐことができる。
突起部２６は、特に限定するものではないが、断面において三角形状乃至湾曲状にすることができる。また、図３に示すように、突起部２６の最大突出幅ｗ１を、第一面部２３の平面視における最小幅ｗ２に対して０．１〜２．０（突起部の突出幅／第一面部の最小幅）とするのが好ましく、０．５〜１．５にするのが特に好ましい。
第一面部２３及び第二面部２４の平面視における幅は、一定幅にするのが好ましく、第一面部２３の幅１に対して第二面部２４の幅を１．２〜３．０にするのが好ましい。また、第一面部２３及び第二面部２４の平面視における両端付近を幅広或いは幅狭にしてもよい。
【００２６】
本実施形態では、突起部２６を側面部２５ａに一条設けてあるが、これに限定されるものではなく、二条、三条などの複数条設けてもよく、また、側面部２５のいずれの箇所に設けてもよく、例えば、容器本体２の底面部２１と第二面部２４との間の外側側面部２５ｂに設けてもよい。
【００２７】
脚部２２は、容器本体２の周方向に渡り連続して設けてもよいが、適宜間隔を開けて設けるのが好ましい。本実施形態では、容器本体２の隅部付近に４つの脚部２２を設けてあるが、例えば、対向する２つの縁部に沿い２つの脚部２２を設けるようにしてもよい。
【００２８】
底面部２１の外縁部には、図１に示すように、垂直状に立ち上がる側壁面部２７が備えてあり、側壁面部２７の上端部には、外方に水平状に張り出すフランジ部２８が備えてある。
フランジ部２８の外縁部には、垂下するスカート部２９が設けてある。スカート部２９の面上には、適宜箇所を凹ませた被嵌合部２９ａが形成してあり、蓋体３を嵌合できるようにしてある。
【００２９】
容器本体２の対向する一対の隅部は面取り状に形成してあり、その箇所にスカート部２９の下端部から外方に水平状に延びる摘み部２９ｂが形成してある。
【００３０】
蓋体３は、図１に示すように、平面視横長長方形状の天面部３１と、天面部３１の周縁から下方に延びる傾斜面状の側壁面部３２と、を備える。
天面部３１は、平面視横長長方形状の水平面として形成してあり、四隅は面取り状に形成し、また、四隅に脚部２２の第一面部２３が載るように段状に形成してある。
【００３１】
側壁面部３２は、天面部３１の周縁から下方に向かいやや拡がる傾斜面としてあり、脚部２２の第二面部２４は、側壁面部３２の外側に沿うようにしてある。
【００３２】
側壁面部３２の下端部には、外方に水平状に張り出すフランジ部３３が備えてあり、蓋体３を容器本体２に嵌合した際、容器本体２のフランジ部２８に載るようにしてある。
【００３３】
フランジ部３３の外縁部には、垂下するスカート部３４が設けてあり、容器本体２のスカート部２９に沿うように形成してある。また、スカート部３４の面上には適宜箇所を凹ませた嵌合部３４ａが形成してあり、被嵌合部２９ａに嵌り、蓋体３が容器本体２に嵌合するようにしてある。
本実施形態では、蓋体３を容器本体２に外嵌合するように形成してあるが、これに限定されるものではなく、例えば、内嵌合、内外嵌合するように形成してもよい。
【００３４】
蓋体３の対向する一対の隅部は面取り状に形成してあり、その箇所にスカート部３４の下端部から外方に水平状に延びる摘み部３４ｂが形成してあり、蓋体３を摘み上げることができるようにしてある。蓋体３を容器本体２に嵌合させた状態で、摘み部３４ｂは容器本体２の摘み部２９ｂに重なるようにしてある。
【００３５】
包装用容器１は、容器本体２の底面部２１に収容物を載せ、蓋体３を嵌合して収容物を収容することができる。脚部２２を段状構造としたため、脚部２２は補強されて変形しにくいものである。また、脚部２２に突起部２６を設けることにより、脚部２２の強度が高まり、脚部２２が折れにくく、重い収容物を収容しても支持することができるようになる。
脚部２２は補強されているので、容器本体２を机上などに置き、蓋体３を被せる際、蓋体３を上方から押しながら被せるようにする。この際、従来ではこの押圧力により脚部が潰されてしまうことがあったが、本実施形態の脚部２２は補強されているので十分に耐え得る強度を有し、閉蓋作業を問題なく行うことができる。
【００３６】
包装用容器１は、図４に示すように、複数段に積み重ねて陳列することもできる。
この際、図５に示すように、脚部２２の第一面部２３は、天面部３１の四隅付近に載り、第一面部２３と第二面部２４との間の周側面部２５は、蓋体３の外壁面部３２に略隙間なく沿わせてある。そのため、包装用容器１は、他の包装用容器１からずれにくく、他の包装用容器１を安定して載せることができる。
【００３７】
また、包装用容器１を積み重ねた際、天面部３１と上側の容器本体２の底面部２１との間に隙間ができるため、底面部２１が収容物の重みにより撓んだとしても、底面部２１が下側の天面部３１に接しにくく、不安定になることがない。
【００３８】
さらに、蓋体３を透明乃至半透明にした場合は、包装用容器１を積み重ねた状態で各脚部２２の隙間から下方に位置する蓋体３の天面部３１を視認することができるため、包装用容器１を積み重ねた状態でも各包装用容器１の収容物を確認しやすいものである。
【００３９】
包装用容器１を積み重ねた際、天面部３１と底面部２１との間に隙間ができることにより、底面部２１の裏側に付着した汚れなどが天面部３１に移ることがないなどの効果も奏する。
【００４０】
上記実施形態の構成態様は、本発明を限定するものとして挙げたものではなく、技術目的を共通にするかぎり変更は可能であり、本発明はそのような変更を含むものである。
【符号の説明】
【００４１】
１包装用容器
２容器本体
２１底面部
２２脚部
２３第一面部
２４第二面部
２５側面部
２５ａ内側側面部
２５ｂ外側側面部
２６突起部
２７側壁面部
２８フランジ部
２９スカート部
２９ａ被嵌合部
２９ｂ摘み部
３蓋体
３１天面部
３２側壁面部
３３フランジ部
３４スカート部
３４ａ嵌合部
３４ｂ摘み部
【図１】
2020109025.tif 000003
【図２】
2020109025.tif 000004
【図３】
2020109025.tif 000005
【図４】
2020109025.tif 000006
【図５】
2020109025.tif 000007
【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
合成樹脂シートからなり、容器本体及び蓋体を備えた包装用容器であって、  該容器本体は、該容器本体の底面部から下方に膨出する凹状の脚部を、間隔を開けて備え、  該脚部の底面は、第一面部と第二面部とを少なくとも備えた段状構造としてあり、  該第一面部は、容器内側に位置し、該蓋体の天面部に載せ置き可能としてあり、  該第二面部は、容器外側に位置し、該第一面部よりも下方に延びる形状としてあり、 該蓋体は、該蓋体の嵌合部が該容器本体の被嵌合部に嵌り合う構造とし、該容器本体に嵌合した状態において該脚部の上方になる位置に該嵌合部を設けた、包装用容器。
【請求項２】
合成樹脂シートからなり、容器本体及び蓋体を備えた平面視正方形乃至長方形状の包装用容器であって、 該容器本体は、該容器本体の底面部の少なくとも四隅部に下方に膨出する凹状の脚部を、間隔を開けて備え、 該脚部の底面は、第一面部と第二面部とを少なくとも備えた段状構造としてあり、 該第一面部は、容器内側に位置し、該蓋体の天面部に載せ置き可能としてあり、 該第二面部は、容器外側に位置し、該第一面部よりも下方に延びる形状としてあり、 該蓋体は、該蓋体の少なくとも四隅部に備えた嵌合部が該容器本体の被嵌合部に嵌り合う構造とした、包装用容器。
【請求項３】
前記蓋体の外縁に設けたスカート部に、蓋体内側に向かい凹ませた前記嵌合部を備えた請求項１又は２に記載の包装用容器。
【請求項４】
前記容器本体の外縁に設けたスカート部に、本体内側に向かい凹ませた前記被嵌合部を備えた請求項３に記載の包装用容器。
【手続補正２】
【補正対象書類名】明細書
【補正対象項目名】０００８
【補正方法】変更
【補正の内容】
【０００８】  本発明の一実施形態の包装用容器は、合成樹脂シートからなり、容器本体及び蓋体を備えた包装用容器であって、容器本体は、容器本体の底面部から下方に膨出する凹状の脚部を、間隔を開けて備え、脚部の底面は、第一面部と第二面部とを少なくとも備えた段状構造としてあり、第一面部は、容器内側に位置し、蓋体の天面部に載せ置き可能としてあり、第二面部は、容器外側に位置し、該第一面部よりも下方に延びる形状としてあり、蓋体は、蓋体の嵌合部が容器本体の被嵌合部に嵌り合う構造とし、容器本体に嵌合した状態において脚部の上方になる位置に嵌合部を設けたことを特徴とする。
【手続補正３】
【補正対象書類名】明細書
【補正対象項目名】００２４
【補正方法】変更
【補正の内容】
【００２４】  第二面部２４は、水平面状に形成してあり、第一面部２３の容器外側に位置し、第一面部２３よりも下方になり、棚などに包装用容器１を置いた際、接地する接地面としてある。また、第一面部２３と第二面部２４との間の側面部２５は、他の包装用容器１に積み重ねて容器本体２を蓋体３の上側に載せた際、蓋体３の側壁面部３２に沿う形状としてある。
【手続補正４】
【補正対象書類名】明細書
【補正対象項目名】００３１
【補正方法】変更
【補正の内容】
【００３１】  側壁面部３２は、天面部３１の周縁から下方に向かいやや拡がる傾斜面としてあり、脚部２２の第一面部２３と第二面部２４との間の側面部２５は、側壁面部３２の外側に沿うようにしてある。
【手続補正５】
【補正対象書類名】明細書
【補正対象項目名】００３６
【補正方法】変更
【補正の内容】
【００３６】  包装用容器１は、図４に示すように、複数段に積み重ねて陳列することができる。  この際、図５に示すように、脚部２２の第一面部２３は、天面部３１の四隅付近に載り、第一面部２３と第二面部２４との間の側面部２５は、蓋体３の側壁面部３２に略隙間なく沿わせてある。そのため、包装用容器１は、他の包装用容器１からずれにくく、他の包装用容器１を安定して載せることができる。